(57)【要約】【課題】運転動作の変調を早期に把握することができ、かつ、空気調和装置の設置場所に赴くことなく状況確認をすることができる空気調和装置の情報伝達装置および伝達方法を提供する。【解決手段】１ないし複数台の空気調和装置１と、前記空気調和装置に第１の伝送線４を介して接続され、前記空気調和装置の運転状態を示す情報を収集する集中管理装置２と、前記集中管理装置に公衆回線などの第２の伝送線５を介して接続され、前記空気調和装置を遠隔監視する遠隔監視装置３とを備えた空気調和装置の情報伝達装置において、前記空気調和装置１から前記集中管理装置２に発信される情報収集要求信号にもとづいて前記集中管理装置２が前記空気調和装置１の制御装置１０を介して前記空気調和装置の所定の情報を収集し、前記遠隔監視装置３へ送信する構成とする。【選択図】        図１
2004239524.tif 000002
【特許請求の範囲】
【請求項１】
１ないし複数台の空気調和装置と、前記空気調和装置に第１の伝送線を介して接続され、前記空気調和装置の運転状態を示す情報を収集する集中管理装置と、前記集中管理装置に公衆回線などの第２の伝送線を介して接続され、前記空気調和装置を遠隔監視する遠隔監視装置とを備えた空気調和装置の情報伝達装置において、前記空気調和装置から前記集中管理装置に発信される情報収集要求信号にもとづいて前記集中管理装置が前記空気調和装置の制御装置を介して前記空気調和装置の所定の情報を収集し、前記遠隔監視装置へ送信することを特徴とする空気調和装置の情報伝達装置。
【請求項２】
前記情報収集要求信号を発信するための発信条件を１ないし複数記憶する発信条件記憶手段を前記空気調和装置に設けると共に、前記発信条件を設定する発信条件設定手段を前記空気調和装置または集中管理装置あるいは遠隔監視装置に設けたことを特徴とする請求項１記載の空気調和装置の情報伝達装置。
【請求項３】
１ないし複数台の空気調和装置と、前記空気調和装置に第１の伝送線を介して接続され、前記空気調和装置の運転状態を示す情報を収集する集中管理装置と、前記集中管理装置に公衆回線などの第２の伝送線を介して接続され、前記空気調和装置を遠隔監視する遠隔監視装置とを備えた空気調和装置の情報伝達装置において、情報収集条件を１ないし複数記憶する情報収集条件記憶手段を前記集中管理装置に設け、前記集中管理装置の判断にもとづいて前記空気調和装置から所定の情報を収集すると共に、収集した情報を前記遠隔監視装置へ送信することを特徴とする空気調和装置の情報伝達装置。
【請求項４】
前記遠隔監視装置への情報伝達を実施するかどうかの遠隔伝達条件を記憶する遠隔伝達条件記憶手段を前記集中管理装置に設け、前記遠隔伝達条件を満たす場合にのみ前記遠隔監視装置に情報を伝達することを特徴とする請求項１または請求項３記載の空気調和装置の情報伝達装置。
【請求項５】
前記空気調和装置は、前記発信条件記憶手段の記憶内容にもとづく情報収集要求信号を発信した後、さらに所定期間経過により情報収集要求信号を発信することを特徴とする請求項２記載の空気調和装置の情報伝達装置。
【請求項６】
前記集中管理装置は、情報収集要求にもとづいて前記空気調和装置の情報を受けた後、所定期間定期的に運転情報を収集要求し、前記遠隔監視装置に転送することを特徴とする請求項１記載の空気調和装置の情報伝達装置。
【請求項７】
前記空気調和装置は、前記発信条件記憶手段の記憶内容毎に、情報収集要求に対して提供する情報を選択、登録し当該内容を記憶する提供情報登録記憶手段を備えたことを特徴とする請求項２記載の空気調和装置の情報伝達装置。
【請求項８】
前記情報収集要求に対して提供する情報は、前記発信条件記憶手段の記憶内容にもとづく情報収集要求信号の発信条件を満たした時点を起点として、その前の停止を含む運転状態の一定期間置きのデータを含むことを特徴とする請求項１〜請求項３のいずれか１項記載の空気調和装置の情報伝達装置。
【請求項９】
前記情報収集要求に対して提供する情報は、運転状態として、冷媒系の圧力・温度、電気系の電圧・電流などのセンサ入力データ、圧縮機・送風機・弁などのアクチュエータ動作情報と共に、制御上の内部変数を含むことを特徴とする請求項１〜請求項３のいずれか１項記載の空気調和装置の情報伝達装置。
【請求項１０】
前記情報収集要求に対して提供する情報は、前記発信条件記憶手段の記憶内容にもとづく情報収集要求信号の発信条件を満たした時点で、前記空気調和装置のＲＡＭに保存している情報を不揮発メモリに移動し送信することを特徴とする請求項１記載の空気調和装置の情報伝達装置。
【請求項１１】
前記情報収集条件は、異常停止時、センサ入力値の範囲、運転制御モードの開始および終了時、内部変数の範囲、アクチュエータ動作時および動作回数であることを特徴とする請求項１〜請求項３のいずれか１項記載の空気調和装置の情報伝達装置。
【請求項１２】
前記集中管理装置は、収集した情報に、情報収集開始の時刻を基準にした時刻情報を付与する時刻情報付与手段を備えたことを特徴とする請求項１〜請求項３のいずれか１項記載の空気調和装置の情報伝達装置。
【請求項１３】
１ないし複数台の空気調和装置と、前記空気調和装置に第１の伝送線を介して接続され、前記空気調和装置の運転状態を示す情報を収集する集中管理装置と、前記集中管理装置に公衆回線などの第２の伝送線を介して接続され、前記空気調和装置を遠隔監視する遠隔監視装置とを備えた空気調和装置の情報伝達装置において、前記空気調和装置から前記集中管理装置に発信される情報収集要求信号にもとづいて前記集中管理装置が前記空気調和装置の制御装置を介して前記空気調和装置の所定の情報を収集し、前記遠隔監視装置へ送信することを特徴とする空気調和装置の情報伝達方法。
【請求項１４】
１ないし複数台の空気調和装置と、前記空気調和装置に第１の伝送線を介して接続され、前記空気調和装置の運転状態を示す情報を収集する集中管理装置と、前記集中管理装置に公衆回線などの第２の伝送線を介して接続され、前記空気調和装置を遠隔監視する遠隔監視装置とを備えた空気調和装置の情報伝達装置において、情報収集条件を１ないし複数記憶する情報収集条件記憶手段を前記集中管理装置に設け、前記集中管理装置の判断にもとづいて前記空気調和装置から所定の情報を収集すると共に、収集した情報を前記遠隔監視装置へ送信することを特徴とする空気調和装置の情報伝達方法。
【請求項１５】
前記集中管理装置は、情報収集要求にもとづいて前記空気調和装置の情報を受けた後、所定期間定期的に運転情報を収集要求し、前記遠隔監視装置に転送することを特徴とする請求項１３記載の空気調和装置の情報伝達方法。
【請求項１６】
前記情報収集要求に対して提供する情報は、前記発信条件記憶手段の記憶内容にもとづく情報収集要求信号の発信条件を満たした時点を起点として、その前の停止を含む運転状態の一定期間置きのデータを含むことを特徴とする請求項１３または請求項１４記載の空気調和装置の情報伝達方法。
【請求項１７】
前記集中管理装置は、収集した情報に、情報収集開始の時刻を基準にした時刻情報を付与することを特徴とする請求項１３または請求項１４記載の空気調和装置の情報伝達方法。
【発明の詳細な説明】
【０００１】
【発明の属する技術分野】
この発明は、空気調和装置の情報伝達装置、特に空気調和装置の変調状態を早期に、正確に把握し、サービス性の向上を図ることができる空気調和装置の情報伝達装置および伝達方法に関するものである。
【０００２】
【従来の技術】
従来の空気調和装置は、空気調和装置の運転状態データを記憶する記憶メモリと、運転状態データを保存する不揮発性メモリとを備え、空気調和装置の運転中の運転データを所定の時間間隔でサイクリックに記憶メモリに書き込み、運転中に異常が発生した場合には、記憶メモリの内容を不揮発性メモリに転送して保存すると共に、データ読み出し装置から異常発生前の運転履歴要求を受けた場合には、保存された内容をデータ読み出し装置へ送信するようにされていた。（例えば特許文献１参照）。
【０００３】
【特許文献１】
特許第３３２８８７０号公報（段落００２７−００３１、図２）
【０００４】
【発明が解決しようとする課題】
従来の空気調和装置は以上のように構成され、情報履歴の起点が異常発生であり、変調の予兆時点での対応が困難であったため、運転動作の変調を早期に把握し、対応をとることができないという問題点があった。
また、履歴情報が空気調和装置に蓄積され、現地でツール接続により内容確認を実施する構成であるため、空気調和装置の設置場所に赴かないと状況確認が出来ないという問題点があった。
この発明は、このような問題点を解決するためになされたもので、運転動作の変調を早期に把握することができ、かつ、空気調和装置の設置場所に赴くことなく状況確認をすることができる空気調和装置の情報伝達装置および伝達方法を提供することを目的とする。
【０００５】
【課題を解決するための手段】
この発明に係る空気調和装置の情報伝達装置は、１ないし複数台の空気調和装置と、前記空気調和装置に第１の伝送線を介して接続され、前記空気調和装置の運転状態を示す情報を収集する集中管理装置と、前記集中管理装置に公衆回線などの第２の伝送線を介して接続され、前記空気調和装置を遠隔監視する遠隔監視装置とを備えた空気調和装置の情報伝達装置において、前記空気調和装置から前記集中管理装置に発信される情報収集要求信号にもとづいて前記集中管理装置が前記空気調和装置の制御装置を介して前記空気調和装置の所定の情報を収集し、前記遠隔監視装置へ送信するものである。
【０００６】
【発明の実施の形態】
実施の形態１．
以下、この発明の実施の形態１を図にもとづいて説明する。図１は、実施の形態１の構成を示すブロック図である。この図において、情報収集の対象となる１ないし複数台の空気調和装置１と、この空気調和装置１の運転状態を示す情報を収集し遠隔監視装置３に通報する集中管理装置２とは専用回線４で接続され、この専用回線４とのインターフェースとして第１の伝達手段１１および２１が空気調和装置１および集中管理装置２にそれぞれ設けられている。
また、集中管理装置２と、通報された収集情報を遠隔地の監視者に伝える遠隔監視装置３とは公衆回線５で接続され、この公衆回線５とのインターフェースとして第２の伝達手段２６および３６が集中管理装置２および遠隔監視装置３にそれぞれ設けられている。なお、公衆回線５による通報先は遠隔監視装置３以外にも複数ある場合もある。
【０００７】
次に、空気調和装置１の構成について説明する。第１の制御手段１０は空気調和装置１の制御部で、空気調和装置１を構成する後述の各構成要素から各部温度、圧力、電圧、電流等の入力情報と集中管理装置２、リモコン、スイッチ等（図示せず）の操作、設定情報をもとに例えば冷媒圧縮機、送風機、膨張弁、四方弁等の冷媒回路アクチュエータ（図示せず）を制御すると共に第１の伝達手段１１から専用回線４および集中管理装置２の第１の伝達手段２１を介して第２の制御手段２０に情報伝達を行なう。発信条件設定手段１２は空気調和装置１から集中管理装置２に所定状態情報の収集を求める情報収集要求信号を送信する条件を設定し、第１の制御手段１０に入力する。発信条件記憶手段１３は前記発信条件設定手段１２の設定内容を第１の制御手段１０の制御により記憶する。
【０００８】
提供情報登録記憶手段１４は前記情報収集要求信号を送信する条件毎に収集する情報の種類を設定し、第１の制御手段１０に入力すると共に設定内容を記憶する。アクチュエータ出力手段１５は第１の制御手段１０からの信号により上述した冷媒回路のアクチュエータを駆動する。センサ入力手段１６は前記入力情報を検出し第１の制御手段１０に入力する。異常判定手段１７は第１の制御手段１０からの入力情報と所定の検出条件とを比較して運転制限および異常表示、異常通報を行なう点検モードへの移行を判定し第１の制御手段１０に入力する。ＲＡＭ１８は空気調和装置１の設定情報、状態情報および第１の制御手段１０で使用される内部変数等を入力記憶し、また第１の制御手段１０の制御により読出し出力する。不揮発性メモリ１９は第１の制御手段１０の制御によりＲＡＭ１８の情報のうち保持する必要があるものを記憶する。
【０００９】
次に、集中管理装置２の構成について説明する。第２の制御手段２０は専用回線４を介する操作および専用回線４に接続される１ないし複数の空気調和装置１等への設定信号の伝達、前記空気調和装置の状態情報の収集および表示、また公衆回線５を介する遠隔監視装置３および複数の上位端末（パソコン、携帯電話等を含む）との情報授受を制御する。発信条件設定手段２２は前記空気調和装置１の発信条件設定手段１２と同じ設定機能をもち、この設定情報を専用回線４を介して空気調和装置１の発信条件記憶手段１３に記憶させることで同設定を集中管理装置２から実施する。情報収集条件設定手段２３はあらかじめ集中管理装置２が収集した情報に対して自主的に情報収集を行なう条件を設定し、第２の制御手段２０に入力する。遠隔伝達条件設定手段２４は集中管理装置２が収集した空気調和装置１の状態情報について公衆回線５を通じて通報するか否かを判定する条件を設定し、第２の制御手段２０に入力する。
【００１０】
表示手段２５は第２の制御手段２０の制御により集中管理装置２に接続登録された空気調和装置１の設定情報、操作情報、運転状態情報および前記の各設定手段にて設定した設定内容と設定による情報収集結果を表示する。遠隔通信先情報設定手段２７は集中管理装置２が収集した空気調和装置１の状態情報について公衆回線５を通じて通報する情報の項目、送信先、送信時期を個別に設定し、第２の制御手段２０に入力する。
ＲＡＭ２８は集中管理装置２の設定情報、操作情報、前記表示手段２５への表示情報、情報収集した空気調和装置１の状態情報および第２の制御手段２０で使用される内部変数等を記憶する。不揮発性メモリ２９は第２の制御手段２０の制御によりＲＡＭ２８の情報のうち保持する必要があるものを記憶する。時計４０は停電しても計時を継続できるバックアップ電源を備え第２の制御手段２０に現在時刻および年、月、日等の時刻情報を入力する。
【００１１】
次に、遠隔監視装置３の構成について説明する。第３の制御手段３０は公衆回線５を介して登録された集中管理装置２からの収集情報を遠隔地の監視者に伝えると共に設定された情報収集開始条件を集中管理装置２に送信する制御を行なう。表示手段３５は第３の制御手段３０の制御により遠隔監視装置３に接続登録された集中管理装置２からの収集情報および設定された情報収集開始条件を表示する。受信先情報設定手段３７は集中管理装置２を経由して空気調和装置１に設定する情報収集開始条件を設定し、第３の制御手段３０に入力する。ＲＡＭ３８は遠隔監視装置３の設定情報、操作情報、前記表示手段３５への表示情報、情報収集した空気調和装置１の状態情報および第３の制御手段３０で使用される内部変数等を記憶する。不揮発性メモリ３９は第３の制御手段３０の制御によりＲＡＭ３８の情報のうち保持する必要があるものを記憶する。
【００１２】
次に、実施の形態１の動作について説明する。図２は、空気調和装置１の情報伝達装置のシステムの動作を示すもので、第１の制御手段１０、第２の制御手段２０および第３の制御手段３０のプログラムのうち対象となる空気調和装置１からの情報収集動作の処理を示す流れ図である。この図において、ステップ１００ないしステップ１２４は空気調和装置１を制御する第１の制御手段１０の処理を示し、ステップ１３０ないしステップ１４７は集中管理装置２を制御する第２の制御手段２０の処理を示し、ステップ１５０ないしステップ１６３は遠隔監視装置３を制御する第３の制御手段３０の処理を示す。
【００１３】
まず、空気調和装置１を制御する第１の制御手段１０の処理について説明する。
ステップ１００は第１の制御手段１０のイニシャル処理を開始する処理であり、ステップ１０１に進む。ステップ１０１では前記発信条件設定手段１２から入力された設定内容を検出して発信条件記憶手段１３に記憶させ、ステップ１０２へ進む。ステップ１０２では前記提供情報登録記憶手段１４から入力された各発信条件に対応する提供情報、即ちセンサ入力、アクチュエータ出力、内部変数等をそれぞれ記憶し、ステップ１０３へ進む。ステップ１０３では第１の制御手段１０のイニシャル処理を終了しメイン処理に移行する。ステップ１１０は第１の制御手段１０のメイン処理を開始する処理で、ステップ１１１に進む。
ステップ１１１では情報収集要求信号を送信する条件を検出した場合にセットされるフラグＦおよび自動的に計時されるタイマーのカウント値Ｔをクリアし、ステップ１１２に進む。
【００１４】
ステップ１１２では空気調和装置１の通常の運転制御を行ない、ステップ１１３へ進む。ステップ１１３では前記タイマーのカウント値Ｔをあらかじめ設定された計測期間と比較し、計測期間を経過していればステップ１１４に、計測期間内であればステップ１１６に進む。ステップ１１４ではタイマーのカウント値Ｔをクリアし、ステップ１１５へ進む。ステップ１１５では所定の状態情報をＲＡＭ１８に記憶し、ステップ１１６へ進む。ステップ１１６では前記発信条件設定手段１２にて設定された情報収集要求信号送信条件を満たしている場合はステップ１１７へ、満たしていない場合はステップ１１８へ進む。ステップ１１７では前記フラグＦをセットすると共に第２のタイマーのカウント値Ｔｔをリセットしステップ１２０へ進む。
【００１５】
ステップ１１８ではフラグＦがセットされており、かつ、前記ステップ１１６で情報収集要求信号送信条件を満たした後の経過時間をカウントする第２のタイマーカウンタＴｔがあらかじめ設定された所定値２を越えていればステップ１１９へ、前記条件を満たしていなければステップ１２３へ進む。ステップ１１９ではフラグＦをリセットし、ステップ１２０へ進む。ステップ１２０では所定の状態情報についてその時点の最新データをＲＡＭ１８に記憶し、ステップ１２１へ進む。ステップ１２１ではＲＡＭ１８に記憶された情報データを不揮発性メモリ１９に転送し、ステップ１２２へ進む。ステップ１２２では前記情報収集要求信号を送信し、ステップ１２３へ進む。ステップ１２３では集中管理装置２からの情報要求信号を受信した場合にステップ１２４へ進み、受信していない場合にはステップ１１２に戻る。ステップ１２４では不揮発性メモリ１９内に記憶した空気調和装置１の状態情報を専用回線４を介して集中管理装置２に送信しステップ１１２へ戻る。
【００１６】
次に、集中管理装置２を制御する第２の制御手段２０の処理について説明する。
ステップ１３０は第２の制御手段２０のイニシャル処理を開始する処理であり、ステップ１３１に進む。ステップ１３１では収集した情報を公衆回線５を介して伝達する遠隔監視装置の送信先を設定し、ステップ１３２へ進む。ステップ１３２では専用回線４を介して空気調和装置１に設定する情報収集要求信号の送信条件および収集した情報の遠隔監視装置３への送信条件を設定し、ステップ１３３へ進む。ステップ１３３では第２の制御手段２０のイニシャル処理を終了しメイン処理に移行する。ステップ１４０は第２の制御手段２０のメイン処理を開始する処理で、ステップ１４１に進む。ステップ１４１では集中管理装置２の通常の操作、設定、表示等の制御を行ない、ステップ１４２へ進む。ステップ１４２では空気調和装置１からの情報収集要求信号の受信があった場合にステップ１４３に進み、受信がない場合はステップ１４１へ戻る。
【００１７】
ステップ１４３では空気調和装置１に対して蓄積した状態情報を専用回線４を介して送信させる情報要求信号を送信しステップ１４４へ進む。ステップ１４４ではステップ１４３で送信した情報要求信号に対応した収集情報を受信した場合にステップ１４５に進み、受信がない場合は受信があるまで受信待機する。
ステップ１４５ではステップ１４４の処理で確認された受信情報を不揮発性メモリ２９に格納し、ステップ１４６へ進む。このステップの処理では受信した情報に時計４０の計時情報を付加することもできる。
ステップ１４６ではステップ１３２にて設定された遠隔監視装置３への送信条件を満たしていればステップ１４７に進み、条件を満たしていなければステップ１４１に戻る。ステップ１４７ではステップ１４５の処理で記憶した収集情報を公衆回線５を介して遠隔監視装置３に送信し、ステップ１４１に戻る。
【００１８】
次に、遠隔監視装置３を制御する第３の制御手段３０の処理について説明する。
ステップ１５０は第３の制御手段３０のイニシャル処理を開始する処理であり、ステップ１５１に進む。ステップ１５１では集中管理装置２を経由して空気調和装置１に設定する情報収集開始条件の設定を行ないステップ１５３へ進む。
ステップ１５３では第３の制御手段３０のイニシャル処理を終了しメイン処理に移行する。ステップ１６０は第３の制御手段３０のメイン処理を開始する処理で、ステップ１６１に進む。ステップ１６１では集中管理装置２からの収集情報の受信があった場合にステップ１６２に進み、同受信がない場合は受信待機を行なう。ステップ１６２ではステップ１６１にて受信確認した収集情報をＲＡＭ３８および不揮発性メモリ３９に保存しステップ１６３に進む。ステップ１６３では上記受信情報を表示手段３５に表示しステップ１６１へ戻る。
【００１９】
次に、総合的な制御動作について図１および図２を用いて更に詳細に説明する。空気調和装置１は情報収集要求信号の発信条件となるまでは通常の運転制御を行ないながら計測期間毎の情報計測を行なう。
詳しくはタイマーのカウント値Ｔ（以下タイマーＴという）が計測期間を過ぎるまではステップ１１２、ステップ１１３、ステップ１１６、ステップ１１８、ステップ１２３の巡回でステップ１１２の通常運転処理のみを実行し、タイマーＴが計測期間を超えた時、タイマーＴをクリアして１回分の状態情報をＲＡＭ１８に記憶することにより計測期間毎の状態情報を蓄積する。なお、詳細な説明は省略するが、計測期間内の状態情報を所定回数分サイクリックに記憶するようにしてもよい。
【００２０】
次に、空気調和装置１の状態が情報収集要求信号の発信条件となった場合、その時点の情報と所定回数前の蓄積情報を確保して集中管理装置２に情報収集要求信号を送信し、集中管理装置２の情報要求を受けて確保した情報データを送信する。詳しくはステップ１１６にてステップ１１７に分岐するため、以降ステップ１２０からステップ１２２の流れの処理となり、ステップ１１７にて情報収集要求信号送信条件の検出を示すフラグＦをセットし、ステップ１２０にてその時点の最新情報をＲＡＭ１８に記憶した上で、ステップ１２１により蓄積した情報を最新のものから所定回数前の分まで不揮発性メモリ１９に記憶し、ステップ１２２にて集中管理装置２に情報収集要求信号を送信する。集中管理装置２はこの情報収集要求信号を受信するとステップ１４２にてステップ１４３の処理に分岐し、空気調和装置１に情報要求信号を送信する。空気調和装置１はこの情報要求信号を受信し、ステップ１２３によりステップ１２４に分岐し不揮発性メモリ１９に記憶した状態情報を集中管理装置２に送信する。ここで、情報を不揮発性メモリ１９に記憶しているのは、情報伝達遅れにより送信するべきデータが書き換わってしまうことの予防および事後に情報を再確認するような場合の便宜のためであり、特に問題がなければＲＡＭ上の情報で処理してもよい。
【００２１】
次に、集中管理装置２は予め設定された遠隔監視装置３への送信条件を確認し条件を満たした時に遠隔監視装置３に収集情報を送信し、遠隔監視装置３はこれを受信して表示する。詳しくは集中管理装置２が空気調和装置１からの収集情報を受信することにより、ステップ１４４にてステップ１４５に分岐し、受信した情報を不揮発性メモリ２９に格納した後、ステップ１４６にてステップ１３２で設定された遠隔監視装置３への送信条件を満たすか否かを判定し、前記送信条件を満たさない場合はステップ１４１に戻り情報収集を継続、送信条件を満たした場合はステップ１４７にて収集した情報を遠隔監視装置３に送信する。
【００２２】
遠隔監視装置３は収集情報を受信するとステップ１６１の処理によりステップ１６２に分岐し、受信した情報を記憶した上でステップ１６３の処理により表示手段３５に表示する。ここで、情報を不揮発性メモリ２９に記憶しているのは、前記不揮発性メモリ１９の活用の場合と同様の理由に加え、蓄積情報を複数記憶する可能性があることによる。特に問題がなければＲＡＭ上の情報で処理してもよい。以上の処理により空気調和装置１の自己診断を起点にして収集情報の伝達および通報が行なわれるので専用回線４、公衆回線５ともに必要最小限の通信で最適な情報収集ができ、通信費用の削減や通信トラフィック過多によるトラブルを防ぐことができる。
【００２３】
また、ステップ１０１において設定される空気調和装置１の情報収集要求信号の送信条件は１ないし複数内容を任意に設定変更可能で、例えば異常停止時、各部温度、圧力等のセンサ入力値の範囲、冷媒圧縮機起動時、冷暖房切換え時、バックアップ運転などの各種制御モードの開始および終了時、特定の冷媒回路アクチュエータの動作時および動作回数、第１の制御手段において使用する例えばセンサ入力手段１６の検出データから演算した圧縮機出力の力率や冷媒の過熱度（スーパーヒート）等の内部変数の範囲等、情報収集の目的に応じて設定することができる。さらに、空気調和装置１の情報収集要求信号の送信条件は発信条件設定手段１２以外にも集中管理装置２に備えた発信条件設定手段２２の設定内容を第２の制御手段２０により専用回線４を介して第１の制御手段１０に伝達し、発信条件記憶手段１３に記憶することにより集中管理装置２から設定できるほか、遠隔監視装置３に備えた受信先情報設定手段３７の設定により第３の制御手段３０により公衆回線５から集中管理装置２を経由し専用回線４を介して第１の制御手段１０に伝達し、発信条件記憶手段１３に記憶することにより遠隔監視装置３から設定することもできる。
【００２４】
また、ステップ１４６にて判定する遠隔監視装置３への送信条件を遠隔伝達条件設定手段２４からステップ１３２の処理で１ないし複数内容を任意に設定変更できるので、例えば１回／月の定期的収集により保守定期点検用のデータに利用できる。また、異常発生時に一括収集することにより異常発生前の状態情報をまとめることができるので異常発生原因の診断に利用できる等の活用が可能である。
【００２５】
次に、図２において情報収集要求信号の発信条件を満たした後の処理の流れについて説明する。図において空気調和装置１はステップ１１６で判定する前記発信条件が保持されている場合は上述のような処理を繰り返すが、その後前記発信条件が解消された場合にはあらかじめ設定された所定時間後に再度情報収集要求信号を送信する。詳しくは、ステップ１１６にてステップ１１８に分岐しフラグＦの状態と第２のタイマーのカウント値Ｔｔ（以下タイマーＴｔという）の値にて分岐判定を行なう。即ち、フラグＦがセットされており、かつ、タイマーＴｔが所定値を越えている場合にはステップ１１９に分岐し、フラグＦをリセットしステップ１２０以下の処理に移行することにより再度最新の収集情報を確保し送信する。前記ステップ１１８の処理において条件を満たさない場合、即ちタイマーＴｔが所定値に未達の場合は発信条件の発生前と同じ処理の流れを繰り返し時間経過を待つ。前記処理により情報収集条件検出後も所定時間の情報収集ができるので例えば空気調和装置１の異常または変調が発生した場合に、その前だけでなく後の状態情報が収集できるので前記不具合の原因調査に有効な情報を得ることができる。
【００２６】
また、ステップ１０２にて提供情報登録記憶手段１４により情報収集要求信号の各発信条件毎に収集する情報を設定することにより収集するデータを必要最小限に絞り込めるので、さらに情報収集の効率が上がり通信費用の削減や通信トラフィックの低減が実現できる。
【００２７】
また、ステップ１１５にて収集する空気調和装置１の状態情報は冷媒回路の各部圧力、温度、電気回路の各部電圧、電流などのセンサ入力データの他、圧縮機、送風機、弁などのアクチュエータ動作情報と共に第１の制御手段１０が生成および使用する制御上の内部変数である。これらの情報を収集することにより例えば空気調和装置１で発生している変調の原因をより特定し易くすることができる。
【００２８】
また、ステップ１４５にて収集した情報を記憶する際、時計４０から時刻、年、月、日、曜日等のデータを付加して時刻情報付きの収集データを作成することもできる。この処理により収集したデータの保守、サービス情報としての付加価値を高めることができる。
【００２９】
実施の形態２．
次に、この発明の実施の形態２について説明する。基本的な構成は図１に示す実施の形態１と同じであるため説明を省略する。
次に、実施の形態２の動作について説明する。図３は、空気調和装置の情報伝達装置のシステムの動作を示すもので、第１の制御手段１０、第２の制御手段２０および第３の制御手段３０のプログラムのうち対象となる空気調和装置１からの情報収集動作の処理を示す流れ図である。この図において、ステップ２００ないしステップ２２３は空気調和装置１を制御する第１の制御手段１０の処理を示し、ステップ２３０ないしステップ２５４は集中管理装置２を制御する第２の制御手段２０の処理を示し、ステップ２６０ないしステップ２７３は遠隔監視装置３を制御する第３の制御手段３０の処理を示す。
【００３０】
まず、空気調和装置１を制御する第１の制御手段１０の処理について説明する。
ステップ２００は第１の制御手段１０のイニシャル処理を開始する処理であり、ステップ２０１に進む。ステップ２０１では前記発信条件設定手段１２から入力された設定内容を検出し発信条件記憶手段１３に記憶させ、ステップ２０２へ進む。ステップ２０２では前記提供情報登録記憶手段１４から入力された各発信条件に対応する提供情報をそれぞれ記憶しステップ２０３へ進む。
ステップ２０３では第１の制御手段１０のイニシャル処理を終了しメイン処理に移行する。ステップ２１０は第１の制御手段１０のメイン処理を開始する処理で、ステップ２１１に進む。ステップ２１１では自動的に計時されるタイマーのカウント値Ｔをクリアし、ステップ２１２に進む。
【００３１】
ステップ２１２では空気調和装置１の通常の運転制御を行ない、ステップ２１３へ進む。ステップ２１３では前記タイマーのカウント値Ｔをあらかじめ設定された計測期間と比較し、計測期間を経過していればステップ２１４に、計測期間内であればステップ２１６に進む。ステップ２１４ではタイマーのカウント値Ｔをクリアし、ステップ２１５に進む。ステップ２１５では所定の状態情報をＲＡＭ１８に記憶し、ステップ２１６に進む。ステップ２１６では前記発信条件設定手段１２にて設定された情報収集要求信号送信条件を満たしている場合はステップ２１７へ、満たしていない場合はステップ２２０へ進む。ステップ２１７では所定の状態情報についてその時点の最新データをＲＡＭ１８に記憶し、ステップ２１８へ進む。
【００３２】
ステップ２１８ではＲＡＭ１８に記憶された情報データを不揮発性メモリ１９に転送しステップ２１９へ進む。ステップ２１９では前記情報収集要求信号を送信しステップ２２０へ進む。ステップ２２０では集中管理装置２からの情報要求信号を受信した場合はステップ２２１へ進み、受信していない場合はステップ２２２に進む。ステップ２２１では不揮発性メモリ１９内に記憶した空気調和装置１の状態情報を専用回線４を介して集中管理装置２に送信しステップ２２２へ進む。ステップ２２２では集中管理装置２からの現在情報要求信号を受信した場合にステップ２２３へ進み、受信していない場合はステップ２１２に戻る。
ステップ２２３ではＲＡＭ１８に記憶した情報データを専用回線４を介して集中管理装置２に送信しステップ２１２へ戻る。
【００３３】
次に、集中管理装置２を制御する第２の制御手段２０の処理について説明する。
ステップ２３０は第２の制御手段２０のイニシャル処理を開始する処理であり、ステップ２３１に進む。ステップ２３１では収集した情報を公衆回線５を介して伝達する遠隔監視装置の送信先を設定しステップ２３２へ進む。ステップ２３２では専用回線４を介して空気調和装置１に設定する情報収集要求信号の送信条件および収集した情報の遠隔監視装置３への送信条件を設定しステップ２３３へ進む。ステップ２３３では第２の制御手段２０のイニシャル処理を終了しメイン処理に移行する。ステップ２４０は第２の制御手段２０のメイン処理を開始する処理で、ステップ２４１に進む。ステップ２４１では情報収集要求信号を受信した場合にセットされるフラグＦ３をクリアし、ステップ２４２へ進む。ステップ２４２では集中管理装置２の通常の操作、設定、表示等の制御を行ないステップ２４３へ進む。
【００３４】
ステップ２４３では空気調和装置１からの情報収集要求信号の受信があった場合はステップ２４４に進み、受信がない場合はステップ２５０に進む。
ステップ２４４では前記フラグＦ３を１とし、自動的に計時されるタイマーのカウント値Ｔ３をクリアしてステップ２４５へ進む。ステップ２４５では空気調和装置１に対して蓄積した状態情報を専用回線４を介して送信させる情報要求信号を送信しステップ２４６へ進む。ステップ２４６ではステップ２４５で送信した情報要求信号に対応した収集情報を受信した場合はステップ２４７に進み、受信がない場合は受信があるまで受信待機する。ステップ２４７ではステップ２４６にて確認された受信情報を不揮発性メモリ２９に格納しステップ２４８へ進む。このステップの処理では受信した情報に時計４０の計時情報を付加することもできる。
【００３５】
ステップ２４８ではステップ２３２にて設定された遠隔監視装置３への送信条件を満たしていればステップ２４９に進み、条件を満たしていなければステップ２４２に戻る。ステップ２４９では不揮発性メモリ２９内に記憶した空気調和装置１の状態情報を公衆回線５を介して遠隔監視装置３に送信し、ステップ２４２へ戻る。一方、ステップ２５０ではフラグＦ３が１以上、かつ、タイマーのカウント値Ｔ３が所定値を経過している場合はステップ２５１に進み、その他の場合はステップ２４２に戻る。ステップ２５１ではフラグＦ３の値に１を加算し、タイマーのカウント値Ｔ３をクリアしてステップ２５２へ進む。ステップ２５２ではフラグＦ３が所定回数を超えている場合はステップ２５４に進み、所定回数以下であればステップ２５３に進む。ステップ２５３では空気調和装置１に対して現在の状態情報を専用回線４を介して送信させる現在情報要求信号を送信し、ステップ２４６へ進む。ステップ２５４ではフラグＦ３をクリアし、ステップ２４２へ戻る。
【００３６】
次に、遠隔監視装置３を制御する第３の制御手段３０の処理について説明する。
ステップ２６０は第３の制御手段３０のイニシャル処理を開始する処理であり、ステップ２６１に進む。ステップ２６１では集中管理装置２を経由して空気調和装置１に設定する情報収集開始条件の設定を行ないステップ２６２へ進む。
ステップ２６２では第３の制御手段３０のイニシャル処理を終了しメイン処理に移行する。ステップ２７０は第３の制御手段３０のメイン処理を開始する処理で、ステップ２７１に進む。ステップ２７１では集中管理装置２から通報される収集情報の受信があった場合はステップ２７２に進み、同受信がない場合は受信待機を行なう。ステップ２７２ではステップ２７１にて受信確認した収集情報をＲＡＭ３８および不揮発性メモリ３９に保存し、ステップ２７３へ進む。
ステップ２７３では前記受信情報を表示手段３５に表示し、ステップ２７１へ戻る。
【００３７】
次に、総合的な制御動作について図１および図３を用いて更に詳細に説明する。空気調和装置１は情報収集要求信号の発信条件となるまでは通常の運転制御を行ないながら計測期間毎の情報計測を行なう。詳しくはタイマーＴが計測期間を過ぎるまではステップ２１２、ステップ２１３、ステップ２１６、ステップ２２０、ステップ２２２の巡回でステップ２１２の通常運転処理のみを実行し、タイマーＴが計測期間を超えた時、タイマーＴをクリアし１回分の状態情報をＲＡＭ１８に記憶することにより計測期間毎の状態情報を蓄積する。
また、集中管理装置２は空気調和装置１から情報収集要求信号を受信するまでは、通常の操作、設定、表示等の制御を行なう。詳しくはステップ２４２、ステップ２４３、ステップ２５０の巡回である。
【００３８】
次に、空気調和装置１の状態が情報収集要求信号の発信条件となった場合、その時点の情報と所定回数前の蓄積情報を確保し、集中管理装置２に情報収集要求信号を送信して集中管理装置２の情報要求を受けて確保した情報データを送信する。詳しくはステップ２１６にてステップ２１７に分岐するため以降ステップ２１８からステップ２１９の流れの処理となり、ステップ２１７にてその時点の最新情報をＲＡＭ１８に記憶した上で、ステップ２１８により蓄積した情報を最新のものから所定回数前の分まで不揮発性メモリ１９に記憶し、ステップ２１９にて集中管理装置２に情報収集要求信号を送信する。集中管理装置２はこの情報収集要求信号を受信するとステップ２４３にてステップ２４４の処理に分岐し、フラグＦ３の値を１とし、タイマーＴ３をクリアし、空気調和装置１に情報要求信号を送信する。空気調和装置１はこの情報要求信号を受信し、ステップ２２０によりステップ２２１に分岐し不揮発性メモリ１９に記憶した状態情報を集中管理装置２に送信する。
【００３９】
次に、集中管理装置２は予め設定された遠隔監視装置３への送信条件を確認し条件を満たした時に遠隔監視装置３に収集情報を送信し、遠隔監視装置３はこれを受信して表示する。
詳しくは集中管理装置２が空気調和装置１からの収集情報を受信することによりステップ２４６にてステップ２４７に分岐し、受信した情報を不揮発性メモリ２９に格納した後、ステップ２４８にてステップ２３２で設定された遠隔監視装置３への送信条件を満たすか否かを判定し、前記送信条件を満たさない場合はステップ２４２に戻り運転操作を継続、送信条件を満たした場合はステップ２４９にて収集した情報を遠隔装置３に送信する。
遠隔監視装置３は集中管理装置２から情報を受信するまでは待機し、収集情報を受信するとステップ２７１の処理によりステップ２７２に分岐し、受信した情報を記憶した上でステップ２７３の処理で表示手段３５に表示する。
【００４０】
また、空気調和装置１は集中管理装置２から現在情報要求を受信した場合、その時点の情報を集中管理装置２に送信する。詳しくはステップ２２２からステップ２２３の処理となり、ステップ２２２にて集中管理装置２から現在情報要求を受信した場合ステップ２２３に分岐し、その時点の情報を集中管理装置２に送信する。前記の現在情報要求は、集中管理装置２が空気調和装置１から情報収集要求を受信した後に、再度情報収集要求を受信するまでの期間は、所定時間経過毎に空気調和装置１に対して所定の回数送信するものである。詳しくはステップ２４３から２５４の処理となる。
【００４１】
集中管理装置２は情報収集要求信号を受信するとステップ２４３にてステップ２４４の処理に分岐し、フラグＦ３の値を１とし、タイマーＴ３をクリアし、空気調和装置１に情報要求信号を送信する。その後、ステップ２４５からステップ２４９、ステップ２４２の処理の後に、ステップ２４３にて、情報収集要求信号を受信しない場合にステップ２５０の処理に分岐する。ステップ２５０にて、タイマーＴ３が所定時間を過ぎるまではステップ２４２に分岐し、所定時間を過ぎるとステップ２５１に分岐する。ステップ２５１にてＦ３の値に１を加算し、タイマーＴ３をクリアし、ステップ２５２にてＦ３が所定の回数を超えていない場合、ステップ２５３に分岐し、空気調和装置１に対して現在情報要求を送信する。
集中管理装置２はステップ２４６にて空気調和装置１からの現在情報受信まで待機し、受信後はステップ２４７に分岐し、受信した情報を不揮発性メモリ２９に格納する。
【００４２】
集中管理装置２はステップ２４８にて、遠隔監視装置３への送信条件を満たしているかどうかの判定を行ない、満たしていればステップ２４９に分岐して情報を送信し、条件を満たしていなければステップ２４２に分岐する。
以上の処理により、集中管理装置２は空気調和装置１から情報収集要求を受信した後に、再度情報収集要求を受信するまでの期間は、所定時間経過毎に空気調和装置１に対して、現在情報要求を所定の回数送信する。所定の回数の送信後は、前記の処理を終了する。詳しくは、ステップ２５２にて、Ｆ３が所定の回数を超えている場合はステップ２５４に分岐し、Ｆ３の値をクリアする。
前記処理により情報収集条件検出後に所定時間経過毎の所定の回数の情報収集ができるので、例えば空気調和装置１の異常または変調が発生した場合にその後の状態情報を収集することにより前記不具合の原因調査に有効な情報を得ることができる。
【００４３】
実施の形態３．
次に、この発明の実施の形態３について説明する。基本的な構成は図１に示す実施の形態１と同じであるため説明を省略する。
次に、実施の形態３の動作について説明する。図４は、空気調和装置の情報伝達装置のシステムの動作を示すもので、第１の制御手段１０、第２の制御手段２０および第３の制御手段３０のプログラムのうち対象となる集中管理装置２から空気調和装置１へ現在情報要求を設定する処理、空気調和装置１が要求された現在情報に該当した情報を集中管理装置２に送信する処理、集中管理装置２からの情報収集要求信号を受信したことで空気調和装置１が自身のＲＡＭ内情報を送信する処理、および集中管理装置２が遠隔監視装置３への送信条件に一致した内容を遠隔監視装置３へ送信する処理を示す流れ図である。この図において、ステップ３００ないしステップ３０７は空気調和装置１を制御する第１の制御手段１０の処理を示し、ステップ３１０ないしステップ３２３は集中管理装置２を制御する第２の制御手段２０の処理を示し、ステップ３３０ないしステップ３３３は遠隔監視装置３を制御する第３の制御手段３０の処理を示す。
【００４４】
まず、空気調和装置１を制御する第１の制御手段１０の処理について説明する。
ステップ３００は第１の制御手段１０のメイン処理を開始する処理であり、ステップ３０１へ進む。ステップ３０１では空気調和装置１が通常運転制御を行ない、ステップ３０２へ進む。ステップ３０２では異常判定手段１７により異常状態であるか否かを判断し、異常状態であればステップ３０３へ進み、異常状態でなければステップ３０４へ進む。ステップ３０３ではステップ３０２で異常と判断されたため、その異常内容の情報を第１の伝達手段１１を用い、専用回線４を介して集中管理装置２に送信しステップ３０４へ進む。ステップ３０４では集中管理装置２から、現在情報要求（ステップ３１６）の受信を待機し、受信した場合はステップ３０５へ進み、受信しない場合はステップ３０１へ戻る。
【００４５】
ステップ３０５では現在情報要求の受信に対して、それに該当するデータをアクチュエータ出力手段１５やセンサ入力手段１６を用いて第１の制御手段１０の判断のもと、集中管理装置２に対して送信しステップ３０６へ進む。
ステップ３０６では集中管理装置２からの情報収集要求コマンドを待機し、受信した場合はステップ３０７へ進み、受信しない場合はステップ３０１へ戻る。
ステップ３０７ではステップ３０６で集中管理装置２から情報収集要求コマンドを受信したため、自身のＲＡＭ内部変数・情報１８を第１の伝達手段１１を用い、専用回線４を介して集中管理装置２に送信する。
【００４６】
次に、集中管理装置２を制御する第２の制御手段２０の処理について説明する。
ステップ３１０は第２の制御手段２０のメイン処理を開始する処理であり、ステップ３１１へ進む。ステップ３１１では定期的に空気調和装置１から情報を収集するためのタイマーＴ４を初期値０にし、ステップ３１２へ進む。ステップ３１２では集中管理装置２がユーザーからの操作や、定期的な処理を実行し、ステップ３１３へ進む。ステップ３１３では空気調和装置１からの異常受信を待機し、異常情報を受信した場合はステップ３１９へ進み、受信しない場合はステップ３１４へ進む。ステップ３１４では集中管理装置２が空気調和装置１から異常受信しなかったことで、タイマーをカウントアップさせ、予め設定されたカウンタ値に一致している場合はステップ３１５へ進み、一致していない場合はステップ３１２へ戻る。
【００４７】
ステップ３１５ではステップ３１４にて予め設定されたカウンタ値になった場合にタイマーＴ４を初期値０に戻しステップ３１６へ進む。ステップ３１６ではステップ３１４にて予め設定されたカウンタ値になった場合に、予め設定された空気調和装置１への現在情報要求コマンドを第１の伝達手段２１を用い、専用回線４を介して空気調和装置１に送信しステップ３１７へ進む。ステップ３１７ではステップ３１６で送信した現在情報要求コマンドに対して空気調和装置１から応答コマンドを受信した場合はステップ３１８へ進み、受信しない場合は受信待機を行なう。ステップ３１８ではステップ３１７で空気調和装置１から受信した現在情報が、情報収集条件設定手段２３で設定された情報収集条件に一致しているか否か判断し、一致している場合はステップ３１９へ進み、一致していない場合はステップ３１２へ戻る。
【００４８】
ステップ３１９ではステップ３１８で判断した結果、情報収集条件設定手段２３で設定された条件に一致している場合に情報収集要求コマンドを第１の伝達手段２１を用い、専用回線４を介して空気調和装置１に送信しステップ３２０へ進む。ステップ３２０ではステップ３１９で送信した情報収集要求コマンドの応答を受信した場合はステップ３２１へ進み、受信しない場合は受信待機を行なう。ステップ３２１では空気調和装置１から受信した情報に自身の持つ時計４０によってタイムスタンプをして自身の不揮発性メモリ２９内に格納しステップ３２２へ進む。ステップ３２２では自身の不揮発性メモリ２９に格納した空気調和装置１の情報が遠隔伝達条件設定手段２４の条件に一致している場合はステップ３２３へ進み、一致していない場合はステップ３１２へ戻る。ステップ３２３ではステップ３２２にて条件に一致している場合に第２の伝達手段２６を用い、公衆回線５により遠隔監視装置３に対して情報を送信しステップ３１２へ戻る。
【００４９】
次に、遠隔監視装置３を制御する第３の制御手段３０の処理について説明する。
ステップ３３０は第３の制御手段３０のメイン処理を開始する処理であり、ステップ３３１へ進む。ステップ３３１では集中管理装置２からの情報受信があった場合にステップ３３２へ進み、同受信がない場合は受信待機を行なう。
ステップ３３２ではステップ３３１で集中管理装置２から情報を受信した場合に、その情報を自身の不揮発性メモリ３９に格納しステップ３３３へ進む。
ステップ３３３では遠隔監視装置３が自身の不揮発性メモリ３９に格納した情報を表示手段３５に表示しステップ３３１へ戻る。
【００５０】
次に、総合的な制御動作について図１および図４を用いて更に詳細に説明する。集中管理装置２は定時タイマーをカウントアップしながら、通常の運転制御、監視動作を行なう。詳しくはタイマーＴが計測期間を過ぎるまでステップ３１２、ステップ３１３、ステップ３１４の巡回でステップ３１２の運転操作処理のみを実行する。タイマーＴが予め設定された計測期間を超えたときにタイマーＴをクリアし、情報収集条件設定手段２３によって設定された空気調和装置１の現在情報を要求し、空気調和装置１から送信された情報をＲＡＭ２８に記憶し、その情報が情報収集条件設定手段２３に該当した場合に、空気調和装置１に対して情報収集要求コマンドを送信する。詳しくはタイマーＴが予め設定した計測期間に達した場合、ステップ３１４、ステップ３１５、ステップ３１６、ステップ３１７、ステップ３１８、ステップ３１９までの処理を実行する。
【００５１】
また、タイマーＴが計測期間に達する前段階でも、空気調和装置１から異常情報を受信した場合には、情報収集条件設定手段２３の条件に関係なく、情報収集要求コマンドを送信する。詳しくはタイマーＴが予め設定した計測期間に達していない場合でも空気調和装置１より異常を受信した場合には、ステップ３１３、ステップ３１９の処理を実行する。
次に、集中管理装置２は空気調和装置１から受信した情報に、自身の持つ時計４０により年月日時分を付加し、自身の不揮発メモリ２９に保存すると共に、その受信データの内容が遠隔伝達条件設定手段２４に該当するか否かを判断した上で、その条件に該当している場合は、遠隔通信先情報設定手段２７で定めたデータ項目、データ内容を、遠隔通信先情報設定手段２７で定めた遠隔監視装置３に送信する。詳しくは空気調和装置１から情報を受信したことにより、ステップ３２０、ステップ３２１、ステップ３２２、ステップ３２３の処理を実行する。
【００５２】
遠隔監視装置３は、集中管理装置２からの情報により、その内容を自身に記憶（保持）するとともに、情報を表示することができる。また、遠隔監視装置３から集中管理装置２に対して、集中管理装置２が保有している情報を確認でき、遠隔から欲しい情報のみを収集することも可能である。
以上の処理により、調査したい内容を一定期間ごとのデータ収集や、イベント（異常発生や、空気調和装置１の変調事項など）など、任意に設定することができるので、専用回線４、公衆回線５ともに必要最小限の通信で最適な情報収集ができ、通信費用の削減や通信トラフィック過多によるトラブルを防ぐことができる。また、一定期間ごとのデータ収集では１回／月の空調機メンテナンスによる客先報告書などにも便宜を図ることができる。また、このデータはメーカに対しユーザーの通常の使用状態を把握するために供することもできる。
【００５３】
【発明の効果】
この発明に係る空気調和装置の情報伝達装置は、１ないし複数台の空気調和装置と、前記空気調和装置に第１の伝送線を介して接続され、前記空気調和装置の運転状態を示す情報を収集する集中管理装置と、前記集中管理装置に公衆回線などの第２の伝送線を介して接続され、前記空気調和装置を遠隔監視する遠隔監視装置とを備えた空気調和装置の情報伝達装置において、前記空気調和装置から前記集中管理装置に発信される情報収集要求信号にもとづいて前記集中管理装置が前記空気調和装置の制御装置を介して前記空気調和装置の所定の情報を収集し、前記遠隔監視装置へ送信するようにしたため、以下のような効果を奏する。
即ち、空気調和装置の自己診断を起点にして収集情報の伝達および通報が行なわれるので必要最小限の通信で最適な情報収集ができ、通信費用の削減や通信トラフィック過多によるトラブルを防ぐことができる。
また、情報収集の開始条件および各条件での収集情報を任意に設定できるので目的に応じて多様かつ必要最小限の情報収集ができる。
また、情報収集の開始条件および遠隔監視装置への送信条件を集中管理装置および遠隔監視装置から設定できるので遠隔地から集中管理で情報収集が可能になり、例えば１回／月の保守定期点検用のデータ収集や、異常発生前の状態情報をまとめて異常発生原因の診断に活用できる。
また、情報収集条件検出後も所定時間の情報収集ができるので例えば空気調和装置の異常または変調が発生した場合にその前だけでなく後の状態情報が収集でき、不具合の原因調査に有効な情報を得ることができる。
また、収集した情報を記憶する際、時計から時刻、年、月、日、曜日等のデータを付加して時刻情報付きの収集データを作成することができるので収集したデータの保守、サービス情報としての付加価値を高めることができる。
【図面の簡単な説明】
【図１】この発明の実施の形態１による空気調和装置の情報伝達装置の構成を示すブロック図である。
【図２】この発明の実施の形態１における情報伝達動作を示す流れ図である。
【図３】この発明の実施の形態２における情報伝達動作を示す流れ図である。
【図４】この発明の実施の形態３における情報伝達動作を示す流れ図である。
【符号の説明】
１  空気調和装置、    ２  集中管理装置、    ３  遠隔監視装置、
４  専用回線、    ５  公衆回線、    １０、  第一の制御手段、
１１，２１  第一の伝達手段、    １２  発信条件設定手段、
１３  発信条件記憶手段、    １４  情報登録記憶手段、
１５  アクチュエータ出力手段、    １６  センサ入力手段、
１７  異常判定手段、    １８  ＲＡＭ（内部変数、情報）、
１９  不揮発性メモリ、    ２０  第二の制御手段、
２２  発信条件設定手段、    ２３  情報収集条件設定手段、
２４  遠隔伝達条件設定手段、    ２５  表示手段、
２６，３６  第二の伝達手段、    ２７  遠隔通信先情報設定手段、
２８，３８  ＲＡＭ、    ２９  不揮発性メモリ、
３０  第三の制御手段、  ３５  表示手段、
３７  受信先情報設定手段、    ３９  不揮発性メモリ、
４０  時計。
【図１】
2004239524.tif 000003
【図２】
2004239524.tif 000004
【図３】
2004239524.tif 000005
【図４】
2004239524.tif 000006